(57)【特許請求の範囲】
【請求項１】
隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に通流可能にするメスネジ山とオスネジ山との接続機構であって、オスネジ山とメスネジ山の相対的並進方向において、メスネジ山の全長よりもオスネジ山の全長の方が大きく、ネジ山が存在するメスネジ山の領域よりも溝が存在しないオスネジ山の領域の方が長いことを特徴とする接続機構。
【請求項２】
隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に通流可能にするメスネジ山とオスネジ山との接続機構であって、オスネジ山とメスネジ山の相対的並進方向において、溝をオスネジ山の中間の領域に設けたことを特徴とする接続機構。
【請求項３】
隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に通流可能にするメスネジ山とオスネジ山との接続機構であって、オスネジ山とメスネジ山との接続により形成される物質移動阻害領域が複数存在することを特徴とする接続機構。
【請求項４】
隔壁と、隔壁に設けられたメスネジ山と、メスネジ山に接続するオスネジ山と、メスネジ山の一部に設けられた溝と、この溝と連通するように隔壁内に設けられた連通路とを備え、隔壁により隔てられる一方の側に存在する物資を、前記溝及び連通路を通じて他方の側に通流可能にするメスネジ山とオスネジ山との接続機構。
【請求項５】
溝及び連通路により構成される物質の通路が複数あることを特徴とする請求項４に記載のメスネジ山とオスネジ山との接続機構。
【請求項６】
隔壁と、隔壁に設けられたメスネジ山と、メスネジ山に接続するオスネジ山とこのオスネジ山の一部に設けられた溝とを備えるボルトと、この溝と連通するようにボルト内に設けられた連通路とを備え、隔壁により隔てられる一方の側に存在する物資を、前記溝及び連通路を通じて他方の側に通流可能にするメスネジ山とオスネジ山との接続機構であって、オスネジ山とメスネジ山の相対的並進方向において、メスネジ山の全長よりもオスネジ山の全長の方が大きく、ネジ山が存在するメスネジ山の領域よりも溝が存在しないオスネジ山の領域の方が長いことを特徴とする接続機構。
【請求項７】
隔壁と、隔壁に設けられたメスネジ山と、メスネジ山に接続するオスネジ山を備えるボルトと、ボルトの長軸方向に対して斜めになるようにボルト先端部に設けた傾斜面とを備え、この傾斜面を通じて、隔壁により隔てられる一方の側に存在する物資を他方の側に通流可能にするオスネジ山とメスネジ山の接続構造であって、オスネジ山とメスネジ山の相対的並進方向において、メスネジ山の全長よりもオスネジ山の全長の方が大きく、ネジ山が存在するメスネジ山の領域よりも前記傾斜面が存在しないオスネジ山の領域の方が長いことを特徴とする接続機構。
【発明の詳細な説明】
【０００１】
【発明の属する技術分野】
本発明は、水、油、気体その他の物資の流出量又は流入量を微妙な調節を可能にする、ボルト、ナット、ボルトとナットの接続機構を備える配管、容器その他物質を収容する空間とその外部とを隔離する隔室、並びにそこで用いられるボルトとナットの接続機構、その接続機構により実現される物質の移動方法に関する。本発明によれば、減水、減油、減圧調節等を非常に簡単で簡便な構造、機構或いは方法により実現できる。
【０００２】
【従来の技術】
隔壁を境にして、水、油、ガスその他の物質を内部に収容し外部と隔離する配管、容器等の隔室は、家庭用燃料タンク、工作機、化学プラント、減圧チャンバ、水道やガスの供給管を始め、さまざまな分野や場所、さまざまな機器において使用されていることは説明するまでもない。このような隔室の隔壁にボルトとナットの接続機構が存在する場合、その隔室の内部に収容されている物質を外部に取り出す、換言すれば減水、減油、減圧等を行う方法として、最も簡単な方法は、ボルトとナットの接続機構を完全に解除することであろう。ここで、完全に解除するとは、ナット構造を有する隔壁の壁面からボルト部分を完全に引き抜くことを意味する。
【０００３】
【発明が解決しようとしている課題】
しかし、ボルト部分を完全に引き抜くと、隔室内部に存在する物質は、外部に一度に流出し、微妙な調節ができない。この場合、作業者の衣服その他の着用物や作業場所を汚し、作業者自身の安全をも脅かす事態を招来する。この問題を解決する方法として、メスネジ孔を傾斜させて設け、ボルトを引き抜いても隔室内部と外部との圧力差や内部の物質の粘性等との関係で一度に流出することがないようにする簡便な手法も考えられるが、ボルト部の完全解除を前提とした物質の取り出しであり、流出の微妙な調整が困難である点や、作業再開に当たり一旦外したボルト部の付け直しが必要になる点で、従前と変わらない。これに対して、バルブ機構を設けて物質の流出を調整する伝統的な手法もあるが、バルブ機構それ自体複雑であり、そのバルブ機構を隔室に設置することも、電気制御、機械制御等の付属設備の設置の必要性とも相俟って煩雑であり、物理的な空間が必要になり、従って生産コスト、据付コスト等の点で高額になりがちであった。
【０００４】
一方、従来、ネジ山に溝が形成されているボルトやナットに関する技術は存在していた。例えば、実開昭５７―９３６０８号には、メスネジ山に排水用の溝を設けた袋ナットが開示されており、これにより、ボルトを締め切った状態であっても袋ナット内部に浸入した雨水、塗料等を袋ナット外部に排出することができる。しかし、この従来技術は、ボルトを締めきった状態にある袋ナットを対象とし、その袋部分の内部に浸入する物質の排出、しかもその常時排出を目的にするものであり、メスネジ山が存在する全領域に亘って溝を形成することを前提にしており、必要に応じて適宜物質の流出量の調節を行える機能を持つものはない。
【０００５】
又、実開昭５９―１５８７０７号には、ボルト体の頭部上面中心部と、第１ネジ山及び第２ネジ山との間に挿通して油通路孔を穿孔し、ボルト体の下辺まで油が流動し得る縦溝をネジ山が存在する全領域に亘り形成し、油通路孔と縦溝とを連結したボルト体が開示されており、これにより、外部から注入された油が、各ネジ山間に万遍なく流入するようにしている。しかし、この従来技術は、ナットとボルトが締めきった状態にあっても、外部から注入された油を各ネジ山間に万遍なく流入するようにすることを目的とするものであり、オスネジ山が存在する全領域に亘って溝を形成することを前提にしており、必要に応じて適宜物質の流出量の調節を行える機能を持つものはない。
【０００６】
尚、溝を設けて、そのエッジ部で切削機能を持たせたナット（実開昭６１―１４６６１１号）やボルトの存在は良く知られているが、これらのナットやボルトにおける溝は、オスネジ山が存在する全領域の一部に亘って形成されることはあり得ても、基本的に、物質を通流させること、或いは必要に応じて適宜その通流量の調節を行うことを意図して設けられているものではない。
【０００７】
本発明は、以上の問題点に鑑みて成されたものであり、隔室の内部の物質が外部に向かって一度に流出することがなく、ボルトとナットの接続機構を完全に解除することなく、バルブ機構のような大掛かりな機器も必要としないで、隔壁を隔てた空間間で物質の調節可能な移動を可能にする非常に簡単で簡便な、又はこれに加えて安価な構造、機構或いは方法を提供することを目的とする。
【０００８】
尚、以上においては、隔壁を境にして、物質を内部に収容し外部と隔離する隔室について説明したが、隔壁を境にして、相対的に高圧下にある外部を内部と隔離する隔室についても当てはまる。このような隔室も、さまざまな分野や場所、さまざまな機器において使用されていることは説明するまでもなく、隔壁にボルトとナットの接続機構が存在する場合、その隔室の外部から内部に物質を取り込む、換言すれば水量の増加、油量の増加、圧力の増加等を行う最も簡単な方法も、ボルトとナットの接続機構を完全に解除することである。このボルトとナットの接続機構の完全を解除により、作業者の着用物を汚すことは、状況にもよるので、多くはないかも知れないが、作業者を危険に晒すことには違いがなく、メスネジ孔を傾斜させて設けたり、バルブ機構を設けたところで問題の解決にはならない。要すれば、隔室により隔てられる空間の一方の側を隔室の「内部」と呼ぶか、「外部」と呼ぶかの違いはあるにせよ、何れの場合であれ、従来技術の抱える問題（従って本発明が解決すべき課題）は共通する。よって、本発明、特にその本質において、隔室を隔てて一方の側の空間を「内部」、他方の側を「外部」と呼ぶ場合と逆の場合とを区別する意味はなく、いずれの場合も、本発明の技術的範囲から排除されないことを、予め明記しておく。但し、以下の記述においては、特段の説明がある場合を除き、説明と理解の便のため、隔室の「内部」に対象となる物質がある場合について記述し、その逆の場合の記述は省略する。
【０００９】
【課題を解決する為の手段】
上記目的を達成するための本発明の第１の形態に係るオスネジ山は、メスネジ山との接続の程度に応じて物質の通流を可能にする溝を一部に備える。本発明の第２の形態に係るオスネジ山は、オスネジ山が備える溝の少なくとも一部において、幅及び深さのうち少なくとも一方が、物質の通流方向に沿って徐々に変化することを特徴とする第１の形態におけるオスネジ山である。尚、ここで「オスネジ山」とは、メスネジ山と噛み合って絶対値が０度よりも大きな角度で相対的な回転運動を行った場合、絶対値が０よりも大きな相対的な並進移動の距離を確保することができる操作を可能にする構造をいい、周期的なピッチを有する必要はない。
【００１０】
ここで、「一部」に物質の通流が可能な溝を備える領域を設けたとは、逆説的に、オスとメスのネジ山同士の完全な噛み合い又は螺合により、ネジ山間における物質の移動が阻害される状態を維持することができるような、当該「一部」でないその他の領域（オスネジ山が存在する領域外であっても構わない。以下「物質移動阻害領域」という。）が存在することを意味している。又、オスネジ山における「メスネジ山との接続の程度」とは、オスネジ山とメスネジ山とが噛み合った際の相対的な回転運動に伴って起こる相対的な並進距離の絶対量の大きさを意味する。本発明を限定する意図なく、より具体的に説明するた  めに、通常のネジとこれに噛み合うボルトの場合で説明すると、この場合ではネジ山が周期的に刻まれているので、ナットと噛み合っているボルトを１回転させると、両者間に、隣接するネジ山間１ピッチ分に相当する相対的な並進移動が起こる。それ故、この場合における「メスネジ山との接続の程度」とは、ボルトとナットとの間の相対的な回転数又はそれに対応した並進移動の距離を意味すると言える。
【００１１】
本発明の第３の形態に係るメスネジ山は、オスネジ山との接続の程度に応じて物質の通流を可能にする溝を一部に備える。本発明の第４の形態に係るメスネジ山は、溝の少なくとも一部における幅及び深さのうち少なくとも一方が、物質の通流方向に沿って徐々に変化することを特徴とする第３の形態におけるメスネジ山である。尚、ここで「メスネジ山」とは、オスネジ山と噛み合って絶対値が０度よりも大きな角度で相対的な回転運動を行った場合、絶対値が０よりも大きな相対的な並進移動の距離を確保することができる操作を可能にする構造をいい、周期的なピッチを有する必要はない。
【００１２】
ここで、「一部」に物質の通流が可能な溝を備える領域を設けたとは、逆説的に、当該「一部」でない部分に物質移動阻害領域（メスネジ山が存在する領域外であっても構わない。）が存在することを意味している。又、メスネジ山における「オスネジ山との接続の程度」とは、本発明の題１及び第２の形態におけるオスネジ山における「メスネジ山との接続の程度」と実質的に同義である。単に、オスネジ山とメスネジ山との関係が逆になっただけである。従って、この場合における「オスネジ山との接続の程度」とは、オスネジ山とメスネジ山とが噛み合った際の相対的な回転運動に伴って起こる相対的な並進距離の絶対量の大きさを意味し、通常のネジとこれに噛み合うボルトの具体例で説明するならば、ボルトとナットとの間の相対的な回転数又はそれに対応した並進移動の距離を意味する。
【００１３】
本発明の第５の形態に係る物質の移動方法は、第１若しくは第２の形態に係るオスネジ山と接続するメスネジ山を備える隔壁により隔てられる一方の側に存在する物質を、若しくは、オスネジ山と接続する第３若しくは第４の形態に係るメスネジ山を備える隔壁により隔てられる一方の側に存在する物質を、又は、第１若しくは第２の形態に係るオスネジ山と接続する第３若しくは第４の形態に係るメスネジ山を備える隔壁により隔てられる一方の側に存在する物質を、オスネジ山とメスネジ山との接続の程度に応じて、他方の側に移動させることを特徴とする。
【００１４】
ここで「オスネジ山とメスネジ山との接続の程度」とは、本発明の第１及び第２の形態に係るオスネジ山における「メスネジ山との接続の程度」や、第３及び第４の形態に係るメスネジ山における「オスネジ山との接続の程度」と実質的に同義である。単に、オスネジ山とメスネジ山との関係で「接続の程度」を表現しただけである。従って、この場合における「オスネジ山とメスネジ山との接続の程度」とは、オスネジ山とメスネジ山とが噛み合った際の相対的な回転運動に伴って起こる相対的な並進距離の絶対量の大きさを意味し、通常のネジとこれに噛み合うボルトの具体例で説明するならば、ボルトとナットとの間の相対的な回転数又はそれに対応した並進移動の距離を意味する。
【００１５】
本発明の第６の形態に係るメスネジ山とオスネジ山との接続機構は、隔壁に設けられたメスネジ山と、該メスネジ山に接続する第１又は第２の形態に係るオスネジ山（若しくはそのオスネジ山を備えるボルト）とを備え、若しくは、隔壁に設けられた第３又は第４の形態に係るメスネジ山と、そのメスネジ山に接続するオスネジ山（若しくはそのオスネジ山を備えるボルト）とを備え、又は、隔壁に設けられた第３又は第４の形態に係るメスネジ山と、そのメスネジ山に接続する第１又は第２の形態に係るオスネジ山とを備え、メスネジ山とオスネジ山との接続の程度に応じて、隔壁により隔てられる一方の側に存在する物質を、他方の側に移動させることを特徴とする。
【００１６】
本発明の第７の形態に係る隔壁は、一方の側と他方の側とを隔てることができ、第５の形態に係るメスネジ山とオスネジ山との接続機構により当該一方の側に存在する物質を他方の側に移動させることができる隔壁である。
【００１７】
本発明の第８の形態に係る隔室は、第６の形態に係るメスネジ山とオスネジ山との接続機構を備える物質の収容が可能な隔室である。
【００１８】
尚、以下に記述する上記以外のその他の形態も、本発明が予定する技術的思想又は技術的範囲の範囲であり、本発明から排除されない。
【００１９】
上記目的を達成するための本発明の第９の形態に係るボルトは、オスネジ山が存在する領域の一部に、メスネジ山との接続の程度に応じて物質の通流を可能にする溝を備える領域を設けたことを特徴とする。本発明の第１０の形態に係るボルトは、溝の少なくとも一部において、溝の幅及び深さの何れか一方が、ボルトの先端部の側からネジ山途中の方向に沿って徐々に変化することを特徴とする第９の形態に係るボルトである。「メスネジ山との接続の程度に応じて」とは、ボルトのオスネジ山との関係において、本発明の第１及び第２の形態におけるそれと同義である。
【００２０】
ここで、第９及び第１０の形態において、ボルトのオスネジ山が存在する領域の「一部」に物質の通流が可能な溝を備える領域を設けたとは、逆説的に、物質移動阻害領域が存在することを意味している。又、第９及び第１０の形態において、「ボルト」とは、オスネジ山を有する円柱軸に、その螺旋回又は並進を伴うその他の旋回を可能にする又は容易にする多角形の頭部や多角溝を備える頭部その他の部分を備える部材それ単体のみを意味するのではなく、オスネジ山を備えるものすべてという意味である。従って、このオスネジ山を一部であれ備える部材、部品その他の物品である限り、当該「ボルト」に該当する。
【００２１】
本発明の第１１の形態に係るナットは、メスネジ山が存在する領域の一部に、オスネジ山との接続の程度に応じて物質の通流を可能にする溝を備える領域を設けたことを特徴とする。本発明に係る第１２の形態に係るナットは、溝の少なくとも一部において、溝の幅及び深さの何れか一方が、ボルトの先端部の側からネジ山途中の方向に沿って徐々に変化することを特徴とする第１０の形態に係るボルトである。「オスネジ山との接続の程度に応じて」とは、ナットのメスネジ山との関係において、本発明の第３及び第４の形態におけるそれと同義である。
【００２２】
ここで、第１１及び第１２の形態において、ナットのネジ山が存在する領域の「一部」に物質の通流が可能な溝を備える領域を設けたとは、逆説的に、物質移動阻害領域が存在することを意味している。又、第１１及び第１２の形態において、「ナット」とは、その意味を、メスネジ山を有する円環状、多角環状その他の形状の部材それ単体に限定する意味ではなく、メスネジ山を備えるものすべてという意味である。従って、円柱軸の頭部にその螺旋回又は並進を伴うその他の旋回を可能にする多角形、円形その他の外形を有する部材それ単体のみに限定する意味ではなく、メスネジ山が存在するものすべてという意味であり、従って、このメスネジ山を一部であれ備える部材、部品その他の物品である限り、当該「ナット」に該当し、例えば、隔室の隔壁にメスネジ山が設けられている場合も、当該隔壁又はそれを備える隔室も「ナット」に該当する。
【００２３】
本発明の第１３の形態に係る物質の移動方法は、隔壁に設けられたメスネジ山に第９若しくは第１０の形態に係るボルトが備えるオスネジ山を接続し、若しくは隔壁に設けられた第１１若しくは第１２の形態に係るナットのメスネジ山にボルトを接続し、又は、隔壁に設けられた第１１若しくは第１２の形態に係るナットのメスネジ山に、第９若しくは第１０の形態に係るボルトが備えるオスネジ山を接続し、メスネジ山とオスネジ山との接続の程度に応じて、隔壁により隔てられる一方の側に存在する物質を、他方の側に移動させることを特徴とする。「オスネジ山とメスネジ山との接続の程度」の意味は、第５の形態のそれと同じである。
【００２４】
本発明の第１４の形態に係るナットとボルトとの接続機構は、隔壁に設けられたメスネジ山と、そのメスネジ山に接続するオスネジ山を具備する第９若しくは第１０の形態に係るボルトとを備え、若しくは隔壁に設けられた第１１若しくは第１２の形態に係るナットのメスネジ山と、そのメスネジ山に接続するオスネジ山を具備するボルトとを備え、又は、隔壁に設けられた第１１若しくは第１２の形態に係るナットのメスネジ山と、そのメスネジ山に接続するオスネジ山を具備する第９若しくは第１０の形態に係るボルトとを備え、メスネジ山とオスネジ山との接続の程度に応じて、隔壁により隔てられる一方の側に存在する物質を、他方の側に移動させることを特徴とする。「オスネジ山とメスネジ山との接続の程度」の意味は、第５の形態のそれと同じである。
【００２５】
本発明の第１５の形態に係る隔壁は、一方の側と他方の側とを隔てることができ、第１４の形態に係るメスネジ山とオスネジ山との接続機構により当該一方の側に存在する物質を他方の側に移動させることができる隔壁である。
【００２６】
本発明の第１６の形態に係る隔室は、第１４の形態に係るメスネジ山とオスネジ山との接続機構を備える物質の収容が可能な隔室である。
本発明の請求項１に係るメスネジ山とオスネジ山との接続機構は、隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に移動させる接続機構であって、オスネジ山とメスネジ山の相対的並進方向において、メスネジ山よりもオスネジ山の方が長く、メスネジ山よりも溝が存在する領域以外のオスネジ山の方が長いものである。
本発明の請求項２に係るメスネジ山とオスネジ山との接続機構は、隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に移動させる接続機構であって、オスネジ山とメスネジ山の相対的並進方向において、溝をオスネジ山の中間の領域に設けたものである。
本発明の請求項３に係るメスネジ山とオスネジ山との接続機構は、隔壁と、隔壁に設けられたメスネジ山と、メスネジ山に接続するオスネジ山と、オスネジ山に設けられた溝とを備え、隔壁により隔てられる一方の側に存在する物質を、オスネジ山に設けられた溝を通じて他方の側に移動させる接続機構であって、オスネジ山とメスネジ山との接続により形成される物質移動阻害領域が複数存在するものである。
本発明の請求項４に係るメスネジ山とオスネジ山との接続機構は、隔壁と、隔壁に設けられたメスネジ山と、メスネジ山に接続するオスネジ山と、メスネジ山の一部に設けられた溝と、この溝と連通するように隔壁内に設けられた連通路とを備える接続機構であって、隔壁により隔てられる一方の側に存在する物資を、前記の溝及び連通路を通じて他方の側に移動させるものである。
本発明の請求項５に係るメスネジ山とオスネジ山との接続機構は、本発明の請求項７に係る接続機構であって、溝及び連通路により構成される物質の通路が複数あるものである。
本発明の請求項６に係るメスネジ山とオスネジ山との接続機構は、隔壁と、隔壁に設けられたメスネジ山と、メスネジ山に接続するオスネジ山とこのオスネジ山の一部に設けられた溝とを備えるボルトと、この溝と連通するようにボルト内に設けられた連通路とを備え、隔壁により隔てられる一方の側に存在する物資を、前記溝及び連通路を通じて他方の側に通流可能にするメスネジ山とオスネジ山との接続機構であって、オスネジ山とメスネジ山の相対的並進方向において、メスネジ山の全長よりもオスネジ山の全長の方が大きく、ネジ山が存在するメスネジ山の領域よりも溝が存在しないオスネジ山の領域の方が長いものである。
本発明の請求項７に係るメスネジ山とオスネジ山との接続機構は、隔壁と、隔壁に設けられたメスネジ山と、メスネジ山に接続するオスネジ山を備えるボルトと、ボルトの長軸方向に対して斜めになるようにボルト先端部に設けた傾斜面とを備え、この傾斜面を通じて、隔壁により隔てられる一方の側に存在する物資を他方の側に通流可能にするオスネジ山とメスネジ山の接続構造であって、オスネジ山とメスネジ山の相対的並進方向において、メスネジ山の全長よりもオスネジ山の全長の方が大きく、ネジ山が存在するメスネジ山の領域よりも前記傾斜面が存在しないオスネジ山の領域の方が長いものである。
【００２７】
【発明の実施の形態】
先ず、本発明の原理について、次いで本発明の各形態に係る実施例について説明する。
【００２８】
１  本発明の原理
【００２９】
本発明の原理を、図１乃至図９を参照して説明する。これらの図は、本発明の幾つかの形態の実施例の説明図を兼ねている。尚、これらの図においては、説明の便と理解し易さのため、敢えて実寸法と異なるように描いている。
【００３０】
１．１  本発明の「原理１」
【００３１】
先ず、図１乃至３は、本発明に係るオスネジ山、このオスネジ山を用いる物質の移動方法及びメスネジ山との接続機構、並びにその接続機構を備える隔壁及び隔室に関する原理説明図である。説明の便と理解のし易さのため、オスネジ山を備えるボルトを本発明の典型的適用例として選択し、これらの図を描き、以下の説明を行うが、本発明をかかるボルト単体に限定する意味ではない。図１乃至３において、１１は、オスネジ山を備えるボルトであり、１２は、ボルト１１の円柱部分に形成されたオスネジ山である。１３は、ボルト１１の一部であり、その螺旋回又は並進を伴うその他の旋回を可能にする又は容易にする多角形の頭部、多角溝を備える頭部その他の部分である。このような部分１３は、ボルト１１の長軸方向Ｘ１の途中に存在していても構わない。尤も、部分１３の存在は、本発明の本質とは関係がない。１４は、オスネジ山１２が存在する領域の一部に形成された、物質の通流を可能ならしめる溝である。尚、理解の便のため、又、その限りにおいて、図１乃至３では、ボルト１１の長軸方向Ｘ１の先の上方の一部の領域のみを断面図（部分断面図Ｐ１―Ｐ１）で描写しており、長軸方向Ｘ１に垂直なボルト１１の断面（断面Ｓ１―Ｓ１）も併せて描写してある。
【００３２】
さて、図１乃至３において、オスネジ山１２及び溝１４の存否を基準にした場合、長軸方向Ｘ１に沿ってボルト１１を領域分けすることができる。即ち、長軸方向Ｘ１に沿ったボルト１１の主たる部分（要するに胴体部分）を領域Ａ１、領域Ａ１のうちオスネジ山１２が形成されている部分を領域Ｂ１、領域Ｂ１のうち、溝１４が形成されている部分を領域Ｃ１、及び溝１４が形成されておらず、オスネジ山が残存する部分を領域Ｄ１とする。オスネジ山１２がメスネジ山１５と噛み合って接続している部分を領域Ｅ１とする。
【００３３】
尚、領域Ｂ１は、領域Ｃ１と領域Ｄ１のみで構成されている必要はなく、例えば領域Ｃ１と領域Ｄ１との間に、又はそれら何れかの領域に隣接してオスネジ山が存在しない領域があっても構わない。
【００３４】
領域Ｃ１においても、溝１４以外の部分はオスネジ山が残存している。従って、オスネジ山１２とメスネジ山１５が噛み合って接続している限り、領域Ｅ１は存在し、オスネジ山１２はメスネジ山１５から離脱することはなく、両者の接続状態は維持される。但し、領域Ｅ１は、領域Ｄ１にある場合（図１）もあるし、領域Ｃ１及びＤ１の両方に跨っている場合（図２）もあるし、領域Ｃ１にある場合（図３）もある。又、オスネジ山１２とメスネジ山１５が噛み合って接続してはいるが、オスネジ山の方向Ｘ１における左端部（ボルト１１の先端部）がメスネジ山１５が存在する領域内にまで入り込んでくると、方向Ｘ１において、噛み合って接続している部分、即ち、領域Ｅ１の長さ（厚さ）も小さくなる。
【００３５】
ところで、オスネジ山１２に対して、メスネジ山１５との接続状態が維持される範囲内で螺旋回又は並進を伴うその他の旋回を施せば（この場合、仮にボルト１１が図中左から右へ移動するものとすると理解し易い。）、領域Ｅ１の位置は長軸方向Ｘ１に沿って相対的に変動し、領域Ｅ１が領域Ｄ１のみにある位置（図１）、領域Ｃ１及びＤ１の両方に跨って存在する位置（図２）、或いは領域Ｃ１のみにある位置（図３）に移動するので、オスネジ山１２のメスネジ山１５との接続の程度により、領域Ｃ１に存在する溝１４と領域Ｅ１との相対的な位置関係を任意に選択することができる。今、先述の物質移動阻害領域がオスとメスのネジ山同士の噛み合い又は螺合により実現するとすると、物質移動阻害領域は、領域Ｄ１と領域Ｅ１とが重複する領域Ｆ１に形成される。そして、領域Ｅ１が徐々に領域Ｃ１の側に相対的に移動して、領域Ｅ１の右端が領域Ｃ１の左端に達した時点以降、物質移動阻害領域は消滅する（図３）。その後、オスネジ山１２に対して、メスネジ山１５との接続状態が維持される範囲内で螺旋回又は並進を伴うその他の旋回を更に施すと、それに従って、領域Ｃ１の右端が領域Ｅ１の右端を超える部分が増加し、従って、領域Ｅ１の右側の空間（後述の空間２）に露出する溝１４（正確には長軸方向Ｘ１に沿った溝１４の長さ又は空間２側に露出する溝１４の開孔面積）が拡大してくる。
【００３６】
尚、物質移動阻害領域が完全に消滅するのは、溝１４やネジ山の工作の仕方が完全であり、理想的な場合に限られ、現実には、工作の仕方が悪いと、領域Ｅ１の右端が領域Ｃ１の左端に達する前に物質移動阻害領域が消滅することもあるのは常識的というべきだろう。本発明の原理（この図１に基づく原理に限らない。）を説明している段階では、このような現実的な常識問題については、以後、触れないことにする。
【００３７】
領域Ｅ１（正確には領域Ｆ１）を境にして隔離される左右の空間（それそれ空間１と空間２とする。）のうち領域Ｃ１側にある空間１に水、油、気体その他の物質Ｍが存在していたとする。すると、領域Ｅ１の右端が領域Ｄ１にある限り（図１及び図２）、オスネジ山とメスネジ山の噛み合いにより起こる物質移動の阻止効果により領域Ｆ１は存在するので、物質Ｍは空間１から空間２へ移動することができない（状態１）。しかし、メスネジ山とオスネジ山との接続の程度が変化して、領域Ｅ１の右端が移動して、領域Ｃ１の右端に達した場合、又は、この領域Ｃ１の右端を超えて領域Ｃ１側に存在するようになった場合（図３）、領域Ｆ１は消滅するので、物質Ｍは溝１４を通じて空間１から空間２に通流可能になる（状態２）。
【００３８】
物質Ｍの移動を停止させたい場合には、領域Ｅ１の右端を領域Ｄ１内に戻して（又は、領域Ｃ１の右端を領域Ｅ１内又は領域Ｅ１の左端よりも更に左側に戻して）、領域Ｆ１を復活させれば良い。
【００３９】
尚、空間１ではなく、空間２に物質Ｍが存在していたとしても、物質Ｍの移動方向が空間２から空間１への逆方向になり、物質Ｍが空間２から空間１へ移動することができない状態を状態１と、物質Ｍが溝１４を通じて空間２から空間１に通流可能になる状態を状態２と置き換えて考えれば足りる。
【００４０】
このような状態１と状態２との間の遷移を可能にするのが、領域Ｃ１に存在する溝１４であり、その状態遷移は、領域Ｆ１の存否、換言すれば領域Ｅ１と領域Ｃ１及び領域Ｄ１との位置関係で決定される。その位置関係は、オスネジ山のメスネジ山との接続の程度、より具体的には、領域Ｅ１が維持される範囲内で螺旋回又は並進を伴うその他の旋回をオスネジ山１２に必要に応じて適宜施すという非常に簡単で簡便な操作の程度により決定される。要すれば、溝１４を一部に備えるオスネジ山１２によれば、メスネジ山１５と接続している場合、単にメスネジ山との接続の程度を必要に応じて適宜変えることで、領域Ｆ１の存否や溝１４の空間２側への露出を調整でき、以って物質Ｍの状態１と状態２の間の遷移（物質の移動とその停止、及び物質移動の調整）を実現することができる。
【００４１】
以上の本発明の基本的な技術的思想及び原理を、本発明の「原理１」と呼ぶことにする。
【００４２】
次に、原理１において、空間１から空間２への物質Ｍの通流の容易さ又は通流量は、空間２に露出する溝１４（より正確には、空間２に露出する溝１４の長軸方向Ｘ１に沿った長さ又は空間２に露出する溝１４の開孔面積）が拡大するにつれて増加する。しかし、空間２に露出する溝１４が拡大したからといって、物質Ｍの通流量が直線的に増加するとは限らない。物質Ｍの通流量は、一般論として、空間１と空間２との圧力差、溝１４の通流断面積その他の因子により変わるからである。そこで、特に溝１４の少なくとも一部において、溝の幅及び深さの少なくとも一方が物質Ｍの通流方向に沿って徐々に変化する構成にする。このような構成は、物質Ｍの通流方向に沿って溝１４の通流断面積が変動することを意味している。
【００４３】
すると、例えば、溝１４が空間２に露出する当初の溝の幅又は深さを小さくし（即ち、通流断面積を小さくし）、露出する程度の増加に伴い溝の幅又は深さが大きくなる（即ち、通流断面積を大きくする）ようにすると、溝１４が空間２に露出する当初は物質Ｍの移動量は小さいが、溝１４が空間２に露出する程度の増加に伴いその移動量を増加させることが可能になる。これが原理１を基礎とする本発明の第２の形態に係るオスネジ山、このオスネジ山を用いる物質の移動方法及びメスネジ山との接続機構、並びにその接続機構を備える隔壁及び隔室（並びに、第１０の形態に係るボルト、このボルトを用いる物質の移動方法及びボルトとの接続機構、並びにその接続機構を備える隔壁及び隔室）に関する技術的思想及び原理である。以下、これを、原理１を基礎におくという点に鑑みて、本発明の「原理１Ａ」と呼ぶことにする。
【００４４】
尚、溝１４は、必ずしも方向Ｘ１と並行である必要はない。溝１４は、空間１と空間２とを連通することが可能な方向Ｘ１の成分を有すればよく、原理１に反しない限り、方向Ｘ１と非並行な又は湾曲若しくは屈曲している部分を備えていても構わない。又、メスネジ山１５の一部に溝が存在していると領域Ｆ１の方向Ｘ１における幅が狭くなるが、その結果、原理１に反しないのならば、当該溝が存在していても構わない。原理１Ａについても同様であり、この原理に反しない限り、溝１４の形態には特に限定はなく、メスネジ山１５の一部に溝があっても構わない。
【００４５】
又、溝１４の方向Ｘ１に沿った成分は、原則として、領域Ｅ１を上回る長さである必要があるが、実施例において後述するように、原理１又は原理１Ａを実現できる構成であれば、領域Ｅ１を上回る長さである必要はない。図１乃至３では、溝１４の左端部は、ボルト１１の先端部まで達していないが、達していても構わない。
【００４６】
１．  ２  本発明の「原理２」
【００４７】
図４乃至６は、本発明に係るメスネジ山、このメスネジ山を用いる物質の移動方法及びオスネジ山との接続機構、並びにその接続機構を備える隔壁及び隔室に関する原理説明図である。説明の便と理解のし易さのため、メスネジ山を備えるナットを本発明の典型的適用例として選択し、これらの図を描き、以下の説明を行うが、本発明をかかるナット単体に限定する意味ではない。図４乃至６において、２１は、メスネジ山を備えるナットであり、２２は、ナット２１の内円環２３の部分に、その内円環２３の中心軸方向Ｘ２に沿って形成されたメスネジ山である。２４は、メスネジ山２２が存在する領域の一部に、中心軸方向Ｘ２に沿って形成された溝である。２５は、メスネジ山２２と噛み合って又は螺合して接続するオスネジ山であり、２６は、オスネジ山２５を具備するボルトである。２７は、ボルト２６の先端部であり、オスネジ山２５の一方の側の終点でもある。  尚、理解の便のため、又、その限りにおいて、図４乃至６では、中心軸方向Ｘ２に垂直なナット２１の断面（断面Ｓ２―Ｓ２）も併せて描写してある。
【００４８】
これらの図では、ナット２１は、単純な円形又は多角形の環状体として描かれているが、ナット２１の外観は本発明の本質とは関係がない。オスネジ山２５を具備するボルト２４が貫通する孔を備える壁面にその貫通孔の中心軸と方向Ｘ２が同軸になるようにナットを溶接その他の固着手段により固定した場合における壁面それ自体も、メスネジ山２２が当該壁面に事後的に追加されたという違いはあるものの、メスネジ山を具備するのでナット２１から排除されないし、当該貫通孔の内円環部分にメスネジ山を直接設けた壁面も、或いはこれらの壁面を備える容器、配管その他の隔室も、メスネジ山を具備するのでナット２１から排除されない。ボルト２６の外観も本発明の外観とは関係がない。しかし、このボルト２６には、先端部２７、又は、先端部２７の機能（後述）と同等の役割を果たすボルト２６の部分が必要である。
【００４９】
さて、図４乃至６において、メスネジ山２２及び溝２４の存否を基準にした場合、中心軸方向Ｘ２に沿ってナット２１を領域分けすることができる。即ち、方向Ｘ２に沿ったナット２１の主たる部分（要するに胴体部分）を領域Ａ２、領域Ａ２のうちメスネジ山２２が形成されている部分を領域Ｂ２、領域Ｂ２のうち、物質の通流を可能ならしめる溝２４が形成されている部分を領域Ｃ２、及び溝２４が形成されておらず、オスネジ山が残存する部分を領域Ｄ２とする。メスネジ山２２がオスネジ山２４と噛み合って接続している部分を領域Ｅ２とする。
【００５０】
尚、領域Ｂ２は、領域Ｃ２と領域Ｄ２のみで構成されている必要はなく、例えば領域Ｃ２と領域Ｄ２との間に、又はそれら何れかの領域に隣接してオスネジ山が存在しない領域があっても構わない。
【００５１】
領域Ｃ２においても、溝２４以外の部分はメスネジ山が残存している。従って、メスネジ山２２とオスネジ山２５が噛み合って接続している限り、領域Ｅ２は存在し、メスネジ山２２はオスネジヤマ２５から離脱することはない。但し、領域Ｅ２は、領域Ｃ２及びＤ２の両方に跨っている場合（図４及び図５）もあるし、領域Ｃ２にある場合（図６）もある。又、オスネジ山２５とメスネジ山２２が噛み合って接続してはいるが、両ネジ山の左右何れかの端の部分が方向Ｘ２において近接してくると、噛み合って接続している部分が少なくなってくる。特に、領域Ａ２内にボルトの先端部２７が入ってくる状況においては、領域Ｅ２は、方向Ｘ２において、その先端部２７と領域Ｃ２の右端部とにより両端が画される領域になり、領域Ｅ２の長さ（厚さ）も小さくなる。
【００５２】
ところで、領域Ｄ２の全域に亘ってメスネジ山２２とオスネジ山２５が噛み合っている場合、即ち、ボルトの先端部２７が領域Ｄ２の左端部よりも左側にある場合、物質移動阻害領域である領域Ｆ２は、領域Ｄ２と一致する（図１）。しかし、メスネジ山２２に対して、オスネジ山２５との接続状態が維持される範囲内で螺旋回又は並進を伴うその他の旋回を施せば（この場合、ボルトの先端部２７は図中左から右へ移動するものとすると理解し易い。）、ボルトの先端部２７が方向Ｘ２に沿って相対的に移動し、領域Ｄ２の左端部に到達し、更には領域Ｂ２に入り込んで行く（図５）。この場合、物質移動阻害領域Ｆ２は、方向Ｘ２において、ボルトの先端部２７と領域Ｄ２の右端部（領域Ｃ２の左端部）で両端を画される領域となり、螺旋回又は並進を伴うその他の旋回の進行に伴い、徐々に狭くなって行く。そして、ボルトの先端部２７が領域Ｄ２の右端部（領域Ｃ２の左端部）に到達した段階で、領域Ｆ２は消滅する（図６）。それ以後は、螺旋回又は並進を伴うその他の旋回の進行に伴い、ボルトの先端部２７が領域Ｃ２の左端部を超える部分が増加し、従って、領域Ｅ２の右側の空間（後述の空間２）に露出する溝２４（正確には長軸方向Ｘ２に沿った溝２４の長さ又は空間２側に露出する溝２４の開孔面積）が拡大してくる（図６）。
【００５３】
領域Ｅ２（正確には領域Ｆ２）を境にして隔離される左右の空間（それそれ空間１と空間２とする。）のうち領域Ｄ２側にある空間１に水、油、気体その他の物質Ｍが存在していたとする。すると、ボルトの先端部２７が領域Ｄ２の左側にある限り（図４及び図５）、オスネジ山とメスネジ山の噛み合いにより起こる物質移動の阻止効果により領域Ｆ２は存在するので、物質Ｍは空間１から空間２へ移動することができない（状態１）。しかし、メスネジ山とオスネジ山との接続の程度が変化して、ボルトの先端部２７が移動して、領域Ｄ２の右端に達した場合、又は、この領域Ｄ２の左端を超えて領域Ｃ２側に存在するようになった場合（図６）、領域Ｆ２は消滅するので、物質Ｍは溝２４を通じて空間１から空間２に通流可能になる（状態２）。
【００５４】
物質Ｍの移動を停止させたい場合には、ボルトの先端部２７を領域Ｄ２内又は領域Ｄ２の左端よりも更に左側に戻して、領域Ｆ１を復活させれば良い。
【００５５】
尚、空間１ではなく、空間２に物質Ｍが存在していたとしても、物質Ｍの移動方向が空間２から空間１への逆方向になり、物質Ｍが空間２から空間１へ移動することができない状態を状態１と、物質Ｍが溝２４を通じて空間２から空間１に通流可能になる状態を状態２と置き換えて考えれば足りる。
【００５６】
このような状態１と状態２との間の遷移を可能にするのが、領域Ｃ２に存在する溝２４であり、その状態遷移は、領域Ｆ２の存否、換言すればボルトの先端部２７と領域Ｅ２、又はボルトの先端部２７と領域Ｃ２及び領域Ｄ２との位置関係で決定される。その位置関係は、オスネジ山のメスネジ山との接続の程度、より具体的には、領域Ｅ２が維持される範囲内で螺旋回又は並進を伴うその他の旋回をメスネジ山２２に必要に応じて適宜施すという非常に簡単で簡便な操作の程度により決定される。要すれば、溝２４を一部に備えるメスネジ山２２によれば、オスネジ山２５と接続している場合、単にオスネジ山２５との接続の程度を必要に応じて適宜変えることで、領域Ｆ１の存否や溝２４の空間１側への露出を調整でき、以って物質Ｍの状態１と状態２の間の遷移（物質の移動とその停止、及び物質移動の調整）を実現することができる。
【００５７】
以上の本発明の基本的な技術的思想及び原理を、本発明の「原理２」と呼ぶことにする。
【００５８】
次に、原理２において、空間１から空間２への物質Ｍの通流の容易さ又は通流量は、ボルトの先端部２７の左側に広がる空間１に露出する溝２４（より正確には、空間１側に露出する溝２４の方向Ｘ２に沿った長さ又は空間１側に露出する溝２４の開孔面積）が拡大するにつれて増加する。しかし、空間１に露出する溝２４が拡大したからといって、物質Ｍの通流量が直線的に増加するとは限らない。物質Ｍの通流量は、一般論として、空間１と空間２との圧力差、溝２４の通流断面積その他の因子により変わるからである。そこで、特に溝２４の少なくとも一部において、溝の幅及び深さの少なくとも一方が物質Ｍの通流方向に沿って徐々に変化する構成にする。このような構成は、物質Ｍの通流方向に沿って溝２４の通流断面積が変動することを意味している。
【００５９】
すると、例えば、溝２４が空間１に露出する当初の溝の幅又は深さを小さくし（即ち、通流断面積を小さくし）、露出する程度の増加に伴い溝の幅又は深さが大きくなる（即ち、通流断面積を大きくする）ようにすると、溝２４が空間１に露出する当初は物質Ｍの移動量は小さいが、溝２４が空間１に露出する程度の増加に伴いその移動量を増加させることが可能になる。これが原理２を基礎とする本発明の第４の形態に係るメスネジ山、このメスネジ山を用いる物質の移動方法及びメスネジ山との接続機構、並びにその接続機構を備える隔壁及び隔室（並びに、第１２の形態に係るボルト、このボルトを用いる物質の移動方法及びボルトとの接続機構、並びにその接続機構を備える隔壁及び隔室）に関する技術的思想及び原理である。以下、これを、原理２を基礎におくという点に鑑みて、本発明の「原理２Ａ」と呼ぶことにする。
【００６０】
尚、溝２４は、必ずしも方向Ｘ２と並行である必要はない。溝２４は、空間１と空間２とを連通することが可能な方向Ｘ２の成分を有すればよく、原理２に反しない限り、方向Ｘ２と非並行な又は湾曲若しくは屈曲している部分を備えていても構わない。又、オスネジ山２５にも溝が存在していると、領域Ｆ２の方向Ｘ２における幅が狭くなるが、その結果、原理２に反しないのならば、当該溝が存在していても構わない。原理２Ａについても同様であり、この原理に反しない限り、溝２４の形態には特に限定はなく、オスネジ山２５の一部に溝があっても構わない。
【００６１】
又、図４乃至６では、溝２４の右端部は、領域Ｅ２の右端部まで達しているが、実施例において後述するように、原理２又は原理２Ａを実現できる構成であれば、領域Ｅ２の右端部まで達しなくても構わない。
【００６２】
１．  ３  本発明の「原理３」
【００６３】
原理１においては、原理１に反しない限り、メスネジ山２２の一部に溝があっても構わず、原理２においては、原理２に反しない限り、オスネジ山２５の一部に溝があっても構わない。このことは、本発明の原理として、原理１と原理２との組合せが存在することを意味する。この組合せに係る原理を、本発明の「原理３」と呼ぶことにし、図７乃至９に基づいて説明する。
【００６４】
図７乃至９は、本発明に係るオススネジ山及びメスネジ山、このメスネジ山を用いる物質の移動方法及びオスネジ山との接続機構、並びにその接続機構を備える隔壁及び隔室に関する原理説明図である。説明の便と理解のし易さのため、オスネジ山を備えるボルト及びそのオスネジ山と接続するメスネジ山を備えるナットを本発明の典型的適用例として選択し、この図を描き、以下の説明を行うが、本発明をかかるこれらのボルト及びナットのみに限定する意味ではない。図７乃至９において、３１１は、オスネジ山を備えるボルトであり、３１２はそのオスネジ山である。３１３は、ボルト３１１の一部であり、その螺旋回又は並進を伴うその他の旋回を可能にする又は容易にする多角形の頭部、多角溝を備える頭部その他の部分である。このような部分３１３は、ボルト１１の長軸方向Ｘ１の途中に存在していても構わない。尤も、部分３１３の存在は、本発明の本質とは関係がない。３１４は、オスネジ山３１２の一部に形成された物質の通流を可能ならしめる溝である。
【００６５】
３２１は、メスネジ山を備えるナットであり、３１５は、ナット３２１の内円環の部分に、その内円環の中心軸方向Ｘ３（ボルト３１１の長軸方向でもある。）に沿って形成されたメスネジ山である。これらの図では、ナット３２１は、壁面に直接メスネジ山３１５が設けられたものとして描かれているが、ナット２１の外観は本発明の本質とは関係がない。ナット３２１は、メスネジ山３１５を具備する単純な円形又は多角形の環状体であっても構わない。ボルト３１１が貫通する孔を備える壁面にその貫通孔の中心軸と方向Ｘ３が同軸になるように当該環状体を溶接その他の固着手段により固定した場合における壁面それ自体も、メスネジ山３１５が当該壁面に事後的に追加されたという違いはあるものの、メスネジ山を具備するのでナット３２１の概念から排除されないし、これらの壁面を備える容器、配管その他の隔室も、メスネジ山を具備するのでナット３２１の概念から排除されない。
【００６６】
３２４は、メスネジ山３１５が存在する領域の一部に、方向Ｘ３に沿って形成された溝である。メスネジ山３１５は、オスネジ山３１２と噛み合って又は螺合して接続し、これによりボルト３１１とナット３２１とが結合する。
【００６７】
メスネジ山３１５とオスネジ山３１２とが接続している場合、オスネジ山３１２及びメスネジ山３１５並びに溝３１４及び溝３２４の存否を基準にして、ボルト３１１及びナット３２１を方向Ｘ３に沿って領域分けすることができる。即ち、方向Ｘ３に沿ったボルト３１１の主たる部分（要するに胴体部分）を領域Ａ３１、領域Ａ３１のうちオスネジ山３１２が形成されている部分を領域Ｂ３１、領域Ｂ３１のうち、溝３１４が形成されている部分を領域Ｃ３１、及び溝３１４が形成されておらず、オスネジ山が残存する部分を領域Ｄ３１とする。方向Ｘ３に沿ったナット３２１の主たる部分（要するに胴体部分）を領域Ａ３２、領域Ａ３２のうちメスネジ山３１５が形成されている部分を領域Ｂ３２、領域Ｂ３２のうち、物質の通流を可能ならしめる溝３２４が形成されている部分を領域Ｃ３２、及び溝３２４が形成されておらず、オスネジ山が残存する部分を領域Ｄ３２とする。そして、オスネジ山３１２がメスネジ山３１５と噛み合って接続している部分を領域Ｅ３とする。
【００６８】
尚、領域Ｂ３１は、領域Ｃ３１と領域Ｄ３１のみで構成されている必要はなく、例えば領域Ｃ１と領域Ｄ１との間に、又はそれら何れかの領域に隣接してオスネジ山が存在しない領域があっても構わない。領域Ｂ３２も同様であり、領域Ｃ３２と領域Ｄ３２のみで構成されている必要はなく、例えば領域Ｃ３２と領域Ｄ３２との間に、又はそれら何れかの領域に隣接してオスネジ山が存在しない領域があっても構わない。
【００６９】
領域Ｃ３１においても、溝３１４以外の部分はオスネジ山が残存しているし、領域Ｃ３２においても、溝３２４以外の部分はメスネジ山が残存している。従って、オスネジ山３１２とメスネジ山３１５が噛み合って接続している限り、領域Ｅ３１及び領域Ｅ３２は存在し、オスネジ山３１２はメスネジ山３１５から離脱することはなく、両者の接続状態は維持される。
【００７０】
溝３１４は、図１乃至図３の場合と異なり、ボルト３１１の先端まで達しているが、達している必要はない。この原理３において重要なのは、溝３１４の右端部３２７であり、これが原理２におけるボルトの先端部２７と同等の役割を果たすボルトの部分である。この場合、物質移動阻害領域Ｆ３は、方向Ｘ３に沿って溝の右端部３２７と溝３２４の左端部とで両端が画され（図７及び図８）、溝の右端部３２７が溝３２４の左端部又はその左端部よりも右側に達した段階で、消滅する（図９）。
【００７１】
尚、理解の便のため、又、その限りにおいて、図７乃至９では、ボルト３１１の方向Ｘ３の線の上方の一部の領域のみを断面図（部分断面図Ｐ３―Ｐ３）で描写しており、方向Ｘ３に垂直なボルト３１１の断面（断面Ｓ３１―Ｓ３１）も併せて描写してある。方向Ｘ３に垂直なナット３２１の断面（断面Ｓ３２―Ｓ３２）も併せて描写してある。
【００７２】
オスネジ山３１２に対して、メスネジ山３１５との接続状態が維持される範囲内で螺旋回又は並進を伴うその他の旋回を施せば（この場合、仮にボルト３１１が図中左から右へ移動するものとすると理解し易い。）、領域Ｅ３の位置は方向Ｘ３に沿って相対的に変動し、溝の右端部３２７が、方向Ｘ３において、領域Ｄ３２の左端部又はその左端部よりも左側の位置（図７）、領域Ｄ３２内の位置（図８）、或いは領域Ｃ３２内又は領域Ｃ３２の右端よりも更に右側の位置（図９）に相対的に移動する。これにより、オスネジ山３１２のメスネジ山３１５との接続の程度により、溝の右端部３２７と溝３２４との相対的な位置関係（従って、物質移動阻害領域Ｆ３の存否及び溝３１４と溝３２４との重なり合いの程度）を任意に選択することができる。
【００７３】
領域Ｆ３は、領域Ｄ３１と領域Ｄ３２とが重複する領域に形成される（図７及び図８）。そして、溝の右端部３２７が徐々に領域Ｃ３２の側に方向Ｘ３に沿って相対的に移動し、溝の右端部３２７が領域Ｃ３２の左端に達した時点以降、物質移動阻害領域Ｆ３は消滅する（図９）。その後、オスネジ山３１２に対して、メスネジ山３１５との接続状態が維持される範囲内で螺旋回又は並進を伴うその他の旋回を更に施すと、それに従って、溝の右端部３２７が領域Ｃ３２の左端を超える部分が増加し、従って、領域Ｃ３２の右側の空間（後述の空間２）に露出する溝３１４（正確には方向Ｘ３に沿った溝３１４の長さ又は空間２側に露出する溝３１４の開孔面積）が拡大してくる。
【００７４】
領域Ｅ３（正確には領域Ｆ３）を境にして隔離される左右の空間（それそれ空間１と空間２とする。）のうち領域Ｃ３１側にある空間１に物質Ｍが存在していたとする。すると、溝の右端部３２７が方向Ｘ３に沿って領域Ｃ３２の左側にある限り（図７及び図８）、オスネジ山３１２とメスネジ山３１５の噛み合いにより起こる物質移動の阻止効果により領域Ｆ３は存在するので、物質Ｍは空間１から空間２へ移動することができない（状態１）。しかし、メスネジ山とオスネジ山との接続の程度が変化して、溝の右端部３２７が相対的に移動して、領域Ｃ３２の左端に達した場合、又は、この領域Ｃ３２の左端を超えて領域Ｃ３２側に存在するようになった場合（図３）、領域Ｆ３は消滅するので、物質Ｍは溝３１４及び溝３２４を通じて空間１から空間２に通流可能になる（状態２）。
【００７５】
物質Ｍの移動を停止させたい場合には、方向Ｘ３に沿って、溝の右端部３２７が領域Ｃ３２の左側になるように相対的に移動させ、領域Ｆ３を復活させれば良い。
【００７６】
尚、空間１ではなく、空間２に物質Ｍが存在していたとしても、物質Ｍの移動方向が空間２から空間１への逆方向になり、物質Ｍが空間２から空間１へ移動することができない状態を状態１と、物質Ｍが溝３１４及び溝３２４を通じて空間２から空間１に通流可能になる状態を状態２と置き換えて考えれば足りる。
【００７７】
このような状態１と状態２との間の遷移を可能にするのが、領域Ｃ３１に存在する溝３１４と領域Ｃ３２に存在する溝３２４であり、その状態遷移は、領域Ｆ３の存否、換言すれば溝の先端部３２７の方向Ｘ３上の位置関係で決定される。その位置関係は、オスネジ山３１２とメスネジ山３１５との接続の程度、より具体的には、領域Ｅ３が維持される範囲内で螺旋回又は並進を伴うその他の旋回を相対的にオスネジ山３１２及びメスネジ山３１５との間に必要に応じて適宜施すという非常に簡単で簡便な操作の程度により決定される。要すれば、溝３１４を一部に備えるオスネジ山３１２と溝３２４を一部に備えるメスネジ山３１５とが接続している場合、単に両ネジ山の接続の程度を必要に応じて適宜変えることで、領域Ｆ３の存否や溝３２４の空間２側への露出を調整でき、以って物質Ｍの状態１と状態２の間の遷移（物質の移動とその停止、及び物質移動の調整）を実現することができる。
【００７８】
以上の本発明の基本的な技術的思想及び原理が本発明の「原理３」であるが、この原理３において、空間１から空間２への物質Ｍの通流の容易さ又は通流量は、空間２（正確には溝３２４）に露出する溝３１４（より正確には、空間２に露出する溝３１４の方向Ｘ３に沿った長さ又は空間２に露出する溝３１４の開孔面積）が拡大するにつれて増加する。しかし、空間２に露出する溝３１４が拡大したからといって、物質Ｍの通流量が直線的に増加するとは限らない。物質Ｍの通流量は、一般論として、空間１と空間２との圧力差、溝３１４及び溝３２４の通流断面積その他の因子により変わるからである。そこで、特に溝３１４及び溝３２４のうち少なくとも一方の少なくとも一部において、溝の幅及び深さの少なくとも一方が物質Ｍの通流方向に沿って徐々に変化する構成にする。このような構成は、物質Ｍの通流方向に沿って溝３１４及び溝３２４のうち少なくとも一方の通流断面積が変動することを意味している。
【００７９】
すると、例えば、溝３１４が溝３２４に露出する当初の溝の幅又は深さを小さくし（即ち、通流断面積を小さくし）、露出する程度の増加に伴い溝の幅又は深さが大きくなる（即ち、通流断面積を大きくする）ようにすると、溝３１４が空間２に露出する当初は物質Ｍの移動量は小さいが、溝３１４が空間２に露出する程度の増加に伴いその移動量を増加させることが可能になる。他方、溝３２４が溝３１４に露出する当初の溝の幅又は深さを小さくし（即ち、通流断面積を小さくし）、露出する程度の増加に伴い溝の幅又は深さが大きくなる（即ち、通流断面積を大きくする）ようにすると、溝３１４が空間２に露出する当初は物質Ｍの移動量は小さいが、溝３１４が空間２に露出する程度の増加に伴いその移動量を増加させることが可能になる。又、溝３１４が溝３２４に露出する当初の溝の幅又は深さを小さくし、且つ、溝３２４が溝３１４に露出する当初の溝の幅又は深さを小さくすれば、溝３１４と溝３２４との重なり合いの程度により、複雑な通流断面積の調整が可能になる。これらが原理３を基礎とする本発明の第２の形態に係るオスネジ山、第４の形態に係るメスネジ山、このようなオスネジ山又はメスネジ山を用いる物質の移動方法及び両ネジ山との接続機構、並びにその接続機構を備える隔壁及び隔室（（並びに、第１０及び第１２の形態に係るボルト及びナット、これらのボルト及びナットを用いる物質の移動方法及び接続機構、並びにその接続機構を備える隔壁及び隔室）に関する技術的思想及び原理である。以下、これを、原理３を基礎におくという点に鑑みて、本発明の「原理３Ａ」と呼ぶことにする。
【００８０】
尚、溝３１４及び溝３２４は、必ずしも方向Ｘ３と並行である必要はない。溝３１４及び溝３２４は、いずれも、空間１と空間２とを連通することが可能な方向Ｘ３の成分を有すればよく、原理３に反しない限り、方向Ｘ３と非並行な又は湾曲若しくは屈曲している部分を備えていても構わない。原理３Ａについても同様であり、この原理に反しない限り、溝３１４及び溝３２４の形態には特に限定はない。又、溝３１４の方向Ｘ１に沿った成分は、原則として、領域Ｄ３２を上回る長さである必要があるが、実施例において後述するように、原理３又は原理３Ａを実現できる構成であれば、領域Ｄ３２を上回る長さである必要はない。図７乃至９では、溝３１５の右端部は、領域Ｅ３の右端まで達して、空間２に露出しているが、原理３又は原理３Ａを実現できる構成であれば、実施例において後述するように、領域Ｅ３の右端まで達していなくても構わない。
【００８１】
２．実施例
【００８２】
本発明の形態に係る実施例を、図１０乃至図３１を参照して説明する。これらの図においては、説明の便と理解し易さのため、敢えて実寸法と異なるように描いており、同一部分については共通の番号を付している。
【００８３】
２．１  本発明に係るオスネジ山、これを具備するボルト及びこれを用いる接続機構、この接続機構を備える隔壁及び隔室、並びにこの接続機構を用いる物質移動方法。
【００８４】
図１０乃至図１３は、本発明に係るオスネジ山及びこれを具備するボルトの実施例を示す。これらの図において、１は、ボルトの本体部分、２は、オスネジ山、３は、ボルトの螺旋回又は並進を伴う回転を容易ならしめるボルトの頭部、４は、オスネジ山２の存在する領域の一部に設けられた溝である。これらの図に示された溝４は、いずれもオスネジ山２が存在する領域内からボルト先端部に達している点で、図７乃至図９に示された溝３１４と同じである。図１０に示された溝４は、断面積が一定であるが、図１１に示された溝４は、ボルトの長軸方向（図１乃至図３における方向Ｘ１に相当する。）においてボルト頭部からボルト先端部に向かって、溝の深さと幅（ボルトの長軸を中心とする周方向の長さ）が徐々に大きくなる形態をしている。図１２に示す溝４は、ボルトの長軸方向においてボルト頭部からボルト先端部に向かって、溝の幅（ボルトの長軸を中心とする周方向の長さ）は一定であるが、溝の深さが徐々に大きくなる形態をしている。
【００８５】
これら図１０乃至図１２に示されたオスネジ山２は、図１３に例示するように、隔壁又隔室が備える壁面（本発明におけるナット６の定義に含まれる。）６１に設けられたメスネジ山５との噛み合い又は螺合により互いに接続する機構を構成する。尚、図１３に例示されたボルトは図１０に示されたボルトであるが、言うまでもなく、図１１又は図１２に示されたボルトであっても構わない。
【００８６】
オスネジ山２とメスネジ山５との接続の程度により、図１４及び図１５にそれぞれ示す両極端な状況が生じる。即ち、図１４では、オスネジ山２とメスネジ山５とが十分に噛み合っており、オスネジ山２の一部に設けられた溝の右端部９が、メスネジ山２が存在する領域に存在する。このため、物質移動阻害領域Ｆ１が存在し、隔壁又隔室が備える壁面６１で隔てられる空間１と空間２のうち、前者の空間中に存在する物質Ｍは、溝４を通じて空間２へ移動することができない（状態１）（図２参照）。しかし、オスネジ山２とメスネジ山５との接続の程度が変わり、溝の右端部９がメスネジ山５の存在しない空間２の側に位置するようになると、空間１と空間２とが溝４を介して通じるため、物質Ｍは溝４を通流して空間２へ移動することができるようになる（状態２）（図３参照）。
【００８７】
図１４及び図１５において、図１０に示す溝の代わりに図１１又は図１２に示す溝４を採用すると、溝の断面積がボルトの長軸方向においてボルトの先端部に向かって徐々に大きくなるので、溝の右端部９がメスネジ山５が存在しない空間２の側により多く露出する（即ち、より右側に移動する）程、物質Ｍの通流断面積もより大きくなる。この結果、オスネジ山２とメスネジ山５との接続の程度により、物質Ｍの通流量を調節することが可能になる。尚、例えば、溝の断面積がボルトの長軸方向においてボルトの先端部に向かって徐々に小さくなるような溝４（図示せず。）を採用すると、溝の右端部９がメスネジ山５の存在しない空間２の側に位置するようになった直後の物質Ｍの通流量を極大にして、その後、溝の右端部９がメスネジ山５が存在しない空間２の側により多く露出する（即ち、より右側に移動する）程、その通流量を小さくするという調整も可能である。溝の形態や、ボルト１の長軸方向におけるオスネジ山２とメスネジ山５との長さの違いなどのパラメータを任意に設定することにより、物質Ｍの通流量の増減変動パターンを必要に応じて適宜、目的に応じて任意に調整できる。
【００８８】
それ故、上記のような構成のオスネジ山２、これを具備するボルト１又はこれらにより構成される接続機構において、ボルト１に対して相対的な回転力を加えてボルト１の螺旋回又は並進を伴う回転を施せば、オスネジ山２のメスネジ山５との接続の程度を変えることができるので、原理１に基づき、隔壁又隔室が備える壁面６１により隔てられた空間のうち一方に存在する物質の他方への移動させることができ、しかも、原理１Ａに基づき、その移動量を調節することができる。
【００８９】
尚、図１４及び図１５における１０は、気密性や水密性を確保するためのパッキン、Ｏリングその他のシール材であり、図１４においてボルトの頭部３と隔壁又隔室が備える壁面６１との間に介在させることにより、空間１に存在する物質Ｍの空間２への移動を防止し、物質移動阻害領域Ｆ１の機能を補填することができる。従って、領域Ｆ１の物質移動の阻害機能が十分である場合には、シール材１０は不可欠ではない。しかし、その阻害機能が不充分である場合は勿論、十分な場合であっても、物質Ｍの空間２への漏洩が特に問題になる場合には、安全のため、設けておくのが好ましい。図１４及び図１５ではシール材１０はボルトの頭部３の側に取り付けてあるが、これに限定されず、気密性や水密性の確保の目的が達成される限り、隔壁又隔室が備える壁面６１の側に採りつけても、両方の側に取り付けても、その他どこに取り付けても構わない。
【００９０】
２．２  本発明に係るメスネジ山、これを具備するナット及びこれを用いる接続機構、この接続機構を備える隔壁及び隔室、並びにこの接続機構を用いる物質移動方法。
【００９１】
図１６乃至図１８は、本発明に係るメスネジ山及びこれを具備するナットの実施例を示す。これらの図において、５は、メスネジ山、６は、ナット、７は、ナットの内円環部に設けられたメスネジ山５の一部に設けられた溝である。これらの図に示された溝７は、いずれもメスネジ山５が存在する領域内からナット端部に達している点で、図４乃至図６に示された溝２４と同じである。図１６に示された溝７は、内円環部の中心軸（図示せず。）方向（図４乃至図６における方向Ｘ２に対応する。）に沿って断面積が一定であるが、図１７に示す溝４は、内円環部の中心軸方向においてメスネジ山５が存在する領域内からナット端部に向かって、溝の幅（内円環部の中心軸を中心とする周方向の長さ）は一定であるが、溝の深さが徐々に大きくなる形態をしている。又、図１８に示された溝７は、内円環部の中心軸方向においてメスネジ山５が存在する領域内からナット端部に向かって、溝の深さと幅（内円環部の中心軸を中心とする周方向の長さ）が徐々に大きくなる形態をしている。
【００９２】
これら図１６乃至図１８に示されたメスネジ山５を隔壁又隔室が備える壁面６１に設けると、図１９に例示するように、ボルト１が具備するオスネジ山２との噛み合い又は螺合により互いに接続する機構を構成する。尚、図１９に例示されたメスネジ山５を具備する隔壁又隔室が備える壁面６１は、図１６に示されたナットの基本構造（特に溝７の形態）を備えるが、言うまでもなく、図１７又は図１８に示されたナットの基本構造（特に溝７の形態）を備えるものであっても構わない。
【００９３】
オスネジ山２とメスネジ山５との接続の程度により、図２０及び図２１にそれぞれ示す両極端な状況が生じる。即ち、図２０では、ボルト１が具備するオスネジ山２とメスネジ山５とが十分に噛み合っており、ボルトの先端部８（図４乃至図６における先端部２７に相当する。）が、メスネジ山５が存在しない空間１に属する領域に存在する。このため、物質移動阻害領域Ｆ２が存在し、隔壁又隔室が備える壁面６１で隔てられる空間１と空間２のうち、前者の空間中に存在する物質Ｍは、溝７を通じて空間２へ移動することができない（状態１）（図４参照）。尚、この領域Ｆ２の物質移動阻害の機能が不充分な場合や十分であってもより確実で安全なものにするために、シール材１０をボルトの頭部３に設けることができることは勿論、隔壁若しくは隔室の壁面６１部分に設けたり、ボルト頭部３と隔壁若しくは隔室の壁面６１部分の両方に設けたりすることもできる。
【００９４】
しかし、オスネジ山２とメスネジ山５との接続の程度が変わり、ボルトの先端部８が相対的に移動してメスネジ山５が存在する領域に入り、更に溝７の先端部にまで到達した以降は、空間１と空間２とが溝７を介して通じるため、物質Ｍは溝７を通流して空間２へ移動することができるようになる（状態２）（図６参照）。
【００９５】
図２０及び図２１において、図１６に示す溝の代わりに図１７又は図１８に示す溝を採用すると、溝の断面積がナット６の内円環の中心軸方向において内円環側から外部に向かって徐々に大きくなるので、ボルトの先端部８が相対的に移動して溝７の先端まで達した後、更に先端部８の左側に溝８がより多く露出する空間２側に移動する程、物質Ｍの通流断面積もより大きくなる。この結果、オスネジ山２とメスネジ山５との接続の程度により、物質Ｍの通流量を調節することが可能になる。尚、例えば、溝の断面積がナット６の内円環の中心軸方向において内円環側から外部に向かって徐々に大きくなるような溝７（図示せず。）を採用すると、ボルトの先端部８が溝７の先端部に始めて達した段階の物質Ｍの通流量を極大にして、その後、先端部８が空間２の側に移動する程、その通流量を小さするという調整も可能である。溝７の形態や、ボルト１の長軸方向（ナットの内円環部分の中心軸方向と一致する。）におけるオスネジ山２とメスネジ山５との長さの違いなどのパラメータを任意に設定することにより、物質Ｍの通流量の増減変動パターンを必要に応じて適宜、目的に応じて任意に調整できる。
【００９６】
それ故、上記のような構成のメスネジ山５、これを具備するナット６又はこれらにより構成される接続機構において、ボルト１に対して相対的な螺旋回又は並進を伴う回転を施せば、メスネジ山５のオスネジ山２との接続の程度を変えることができるので、原理２に基づき、隔壁又隔室が備える壁面６１により隔てられた空間のうち一方に存在する物質の他方への移動させることができ、しかも、原理２Ａに基づき、その移動量を調節することができる。
【００９７】
２．３  本発明に係るメスネジ山及びオスネジ山、これらを用いる接続機構、この接続機構を備える隔壁及び隔室、並びにこの接続機構を用いる物質移動方法。
【００９８】
図２２は、本発明に係るオスネジ山及びこれを具備するボルト、メスネジ山及びこれを具備するナット（メスネジ山を設けた隔壁又は隔室の壁面）、並びにこれらを用いた接続機構の実施例を示す。図２２において、オスネジ山２を具備するボルト１は、図１２に示したものであるが、特にこれに限定されず、図１０又は図１１に示したボルトその他のボルトでも構わない。隔壁又は隔室の壁面６１に設けられたメスネジ山５は、図１７に示すナットの基本構造（特に溝７の形態）を備えるが、特にこれに限定されず、図１６若しくは図１８に示したナット又はその他のナットの基本構造（特に溝７の形態）を備えていても構わない。
【００９９】
この図２２におけるオスネジ山２とメスネジ山５との接続の程度により、図２３及び図２４にそれぞれ示す両極端な状況が生じる。即ち、図２３では、オスネジ山２とメスネジ山５とが十分に噛み合っており、オスネジ山２の一部に設けられた溝の右端部９が、メスネジ山５が存在しない空間１の側の領域、又は、メスネジ山２が存在し、且つ、溝７の存在しない領域に存在する。このため、物質移動阻害領域Ｆ３が存在し、隔壁又隔室が備える壁面６１で隔てられる空間１と空間２のうち、前者の空間中に存在する物質Ｍは、溝４を通じて空間２へ移動することができない（状態１）（図７及び図８参照）。尚、この領域Ｆ３の物質移動阻害の機能が不充分な場合や十分であってもより確実で安全なものにするために、シール材１０をボルトの頭部３に設けたり（図２０及び図２１参照）、隔壁若しくは隔室の壁面６１部分に設けたり、ボルト頭部３と隔壁若しくは隔室の壁面６１部分の両方に設けたりすることもできる。
【０１００】
しかし、オスネジ山２とメスネジ山５との接続の程度が変わり、溝の右端部９が溝７の存在する領域又はそれより右側の空間２の側に相対的に位置するようになると、空間１と空間２とが溝４を介して通じるため、物質Ｍは溝４を通流して空間２へ移動することができるようになる（状態２）（図９参照）。
【０１０１】
図２３及び図２４において、ボルト１が具備する溝４として、図１２に示す溝の代わりに図１０又は図１１に示す溝を採用すると、若しくは、隔壁若しくは隔室の壁面６１が具備する溝７として、図１７に示す溝の代わりに図１６又は図１８に示す溝を採用すると、又は、ボルト１が具備する溝４として図１０又は図１１に示す溝を採用するとともに、隔壁若しくは隔室の壁面６１が具備する溝７として図１６又は図１８に示す溝を採用すると、溝の断面積がボルトの長軸方向において種々変わり、特にオスネジ山２とメスネジ山５との接続の程度により、溝４と溝７とが接続してできる物質Ｍの通流路の断面積がボルトの長軸方向に沿って種々変わる。そのため、溝４と溝７の組合せ方を始めとするパラメータを任意に設定することにより、物質Ｍの通流量を調節したり、通流量の増減変動パターンを必要に応じて適宜、目的に応じて任意に調整できる。
【０１０２】
それ故、上記のような構成のオスネジ山２及びメスネジ山５、これらにより構成される接続機構において、ボルト１に対して相対的な螺旋回又は並進を伴う回転を施せば、オスネジ山２のメスネジ山５との接続の程度を変えることができるので、原理３に基づき、隔壁又隔室が備える壁面６１により隔てられた空間のうち一方に存在する物質の他方への移動させることができ、しかも、原理３Ａに基づき、その移動量を調節することができる。
【０１０３】
２．４  その他の実施例
【０１０４】
２．４．１  複数の物質移動阻害領域を有する接続構造、この接続機構を備える隔壁及び隔室、並びにこの接続機構を用いる物質移動方法。
【０１０５】
図２５は、本発明に係るオスネジ山及びこれを具備するボルト、メスネジ山及びこれを具備するナット（メスネジ山を設けた隔壁又は隔室の壁面）、並びにこれらを用いた接続機構の他の実施例を示す。図２５において、オスネジ山２を具備するボルト１は、図１乃至図３に示したものとかなり似通った構成をしており、ボルトの長軸方向に沿ったオスネジ山が存在する領域の中間に溝４を備える。但し、溝４の端部（ボルト頭部３とは反対側の端部）とボルトの先端部までのボルトの長軸方向に沿ったオスネジ山の存在する領域が、メスネジ山５の存在する領域のそれよりも明らかに長いのが特徴である。尚、溝４の形態は、この図に描かれたものに限定されない。隔壁又は隔室の壁面６１に設けられたメスネジ山５は、図１８に示すナットの基本構造（特に溝７の形態）を備えるが、特にこれに限定されず、図１６若しくは図１７に示したナット又はその他のナットの基本構造（特に溝７の形態）を備えていても構わない。
【０１０６】
この図２５におけるオスネジ山２とメスネジ山５との接続の程度により、図２６乃至図２８に示す状況が生じる。即ち、図２６では、図１と同様、オスネジ山２とメスネジ山５とが十分に噛み合っており、オスネジ山２の一部に設けられた溝の右端部９が、メスネジ山５が存在しない空間１の側の領域に存在する。このため、物質移動阻害領域（第１の物質移動阻害領域）が存在し、隔壁又隔室が備える壁面６１で隔てられる空間１と空間２のうち、前者の空間中に存在する物質Ｍは、溝４を通じて空間２へ移動することができない（状態１）（図２６参照）。しかし、オスネジ山２とメスネジ山５との接続の程度が変わり、溝の右端部９が溝７の存在する領域又はそれより右側の空間２の側に相対的に位置するようになると、図３と同様、空間１と空間２とが溝４を介して通じるため、物質Ｍは溝４を通流して空間２へ移動することができるようになる（状態２）（図２７参照）。ところが、オスネジ山２とメスネジ山５との接続の程度が更に変わり、溝の右端部９が溝７の存在する領域より更に右側に相対的に移動し、この結果、溝４の左端部が溝７の存在する領域に達するまでになると、新たに物質移動阻害領域（第２の物質移動阻害領域）が形成され、空間１から空間２への物質Ｍの移動は停止し、状態１に戻る（図２８参照）。
【０１０７】
以上のオスネジ山２とメスネジ山５との接続の程度の変化に伴う状態１と状態２との間の遷移は、原理３に基づき、複数の物質移動阻害領域の形成により実現される。図２５に示す接続構造では、オスネジ山２がメスネジ山５に対して一方向的に移動する過程で、図２６乃至図２８に示すように２個の物質移動阻害領域が形成されるが、３個以上の物質移動阻害領域が形成される例であっても本発明から排除されない。
【０１０８】
図２６乃至図２８において、ボルト１が具備する溝４として、図１０乃至図１２の何れかに示す溝を採用すると、若しくは、隔壁若しくは隔室の壁面６１が具備する溝７として、図１６乃至図１８の何れかに示す溝を採用すると、又は、ボルト１が具備する溝４として乃至図１２の何れかの溝を採用するとともに、隔壁若しくは隔室の壁面６１が具備する溝７として図１６乃至図１８の何れかに示す溝を採用すると、溝の断面積がボルトの長軸方向において種々変わり、特にオスネジ山２とメスネジ山５との接続の程度により、溝４と溝７とが接続してできる物質Ｍの通流路の断面積がボルトの長軸方向に沿って種々変わる。そのため、溝４と溝７の組合せ方を始めとするパラメータを任意に設定することにより、原理３Ａに基づき、物質Ｍの通流量を調節したり、通流量の増減変動パターンを必要に応じて適宜、目的に応じて任意に調整できる。
【０１０９】
２．４．２  ネジ山が存在する領域の一部に設けられた溝以外に空間１及び空間２とを接続する通流路を備えるオスネジ山及びメスネジ山、これらのうち少なくとも一方を用いた接続構造、この接続機構を備える隔壁及び隔室、並びにこの接続機構を用いる物質移動方法。
【０１１０】
図２９は、ネジ山が存在する領域の一部に設けられた溝以外に空間１及び空間２とを接続する通流路を備えるオスネジ山２に係る実施例を示す。この図は同時に、このオスネジ山２を用いたメスネジ山５との接続構造、この接続機構を備える隔壁及び隔室６１、並びにこの接続機構を用いる物質移動方法に関する説明図でもある。
【０１１１】
本発明においては、ボルト１の長軸方向における溝４の長さについては、原理１乃至原理３（並びに原理１Ａ乃至原理３Ａ）が成立しさえすれば特に限定はない。図２９に示す溝４１のその長さは、これまで説明してきた実施例における溝４の長さに比べてもかなり小さく、ボルトの長軸方向におけるナット６（隔壁若しくは隔室の壁面６１）が具備するメスネジ山５の長さ又は図１乃至図３に示す領域Ｅ１の幅若しくは図７乃至図９に示す領域Ｅ３の幅よりも小さくて構わない。その代わり、溝４１は、ボルト１の内部を貫通し、空間１と溝４１とを連通する連通路４２を備える。
【０１１２】
図２９に示すオスネジ山２が存在する領域の一部に存在する溝４１を、オスネジ山２のメスネジ山５との接続の程度を変えることにより、隔壁若しくは隔室の壁面６１に対して相対的に並進移動させると、溝４１の右端部９１が隔壁若しくは隔室の壁面６１の空間２に露出していない状態から、露出している状態に遷移する。この遷移の過程で物質移動阻害領域は消滅し、隔壁若しくは隔室の壁面６１により隔てられていた空間１と空間２との間で物質Ｍの移動が起こる。但し、物質Ｍは、空間１に開口する連通路４２を通じて溝４１に到達し、空間２に露出している溝４１を抜けて空間２へ移動する。このような状態１から状態２への遷移は、原理１（メスネジ山５に溝がある場合には原理３）に基づくとはいえ、空間２に露出している溝４１が空間１に露出していなくても起こる。溝４１が空間１に露出していなくても、溝４１と連通する連通路４２が空間１に開口しているからである。
【０１１３】
かくして、オスネジ山が存在する領域の一部に存在する溝が小さい場合でも、この溝が空間１と空間２とを接続するに足りる工夫があるのならば、その実施例は、本発明から排除されない。その工夫が連通路４２に限定されないことは言うまでもない。小さい溝４１にする技術的長所は、原理１において、溝のない領域においてオスネジ山１２とメスネジ山１５との噛み合い又は螺合により形成される領域Ｆ１の方向Ｘ１における長さを、溝１４の長さが短い分大きくすることができ、領域Ｆ１の物質移動阻害の機能を高く維持できる点にある。
【０１１４】
次に、図３０及び図３１は、ネジ山が存在する領域の一部に設けられた溝以外に空間１及び空間２とを接続する通流路を備えるメスネジ山５に係る実施例を示す。これらの図は、同時に、このメスネジ山５を用いたメスネジ山２との接続構造、この接続機構を備える隔壁及び隔室６１、並びにこの接続機構を用いる物質移動方法に関する説明図でもある。
【０１１５】
本発明においては、図４乃至図６を参照して説明すると、ナット２１の内円環部２３の中心軸方向Ｘ２における溝２４の長さについては、原理２又は原理３（並びに原理２Ａ又は原理３Ａ）が成立しさえすれば特に限定はない。図３０及び図３１に示す溝７１のその長さは、これまで説明してきた実施例における溝７の長さに比べて小さく、その代わり、溝７１は、ナット６（隔壁若しくは隔室の壁面６１）の内部を貫通し、空間２と溝７１とを連通する連通路７２を備える。
【０１１６】
図３０において、メスネジ山５が存在する領域の一部に存在する溝７１を、メスネジ山５のオスネジ山２との接続の程度を変えることにより、隔壁若しくは隔室の壁面６１に対して相対的に並進移動させると、ボルト１の先端部８が空間１側に存在し、且つ、溝７１の領域内に存在しない状態から、溝７１の領域内に存在する状態に遷移する。この遷移の過程で物質移動阻害領域は消滅し、隔壁若しくは隔室の壁面６１により隔てられていた空間１と空間２との間で物質Ｍの移動が起こる。但し、物質Ｍは、溝７１を通じて空間２に開口する連通路７２に到達し、更に空間２へ移動する。このような状態１から状態２への遷移は、原理２（オスネジ山２に溝がある場合には原理３）に基づくとはいえ、溝７１が空間２に露出していなくとも起こる。溝７１が空間２に露出していなくても、溝７１と連通する連通路７２が空間２に開口しているからである。
【０１１７】
かくして、メスネジ山が存在する領域の一部に存在する溝が小さい場合でも、この溝が空間１と空間２とを接続するに足りる工夫があるのならば、その実施例は、本発明から排除されない。その工夫が連通路７２に限定されないことは言うまでもない。小さい溝７１にする技術的長所は、原理２において、溝のない領域においてオスネジ山２５とメスネジ山２２との噛み合い又は螺合により形成される領域Ｆ２の方向Ｘ２における長さを、溝２４の長さが短い分大きくすることができ、領域Ｆ１の物質移動阻害の機能を高く維持できる点にある。
【０１１８】
尚、図３０及び図３１には、それぞれ、溝７１と連通路７２とにより構成される通路が２個描かれている。いまこれらの通路を、通路Ａ１及び通路Ａ２と呼ぶことにする。通路を２個設けることの技術的長所は、物質Ｍの移動ルートを複数確保できるという点にある。これに加え、例えば空間１には物質Ｍが、空間２には物質Ｎが存在する場合、一方の通路から物質Ｍを空間１から空間２へ移動させ、その移動分に応じた量の物質Ｎを空間２から空間１へ移動させることにより、物質Ｍを円滑に移動させることができるという点にもある。物質Ｍが大気下に晒された容器内に収容された物質である場合、物質Ｍが容器外に円滑に排出されるためには、排出量に応じた空気（物質Ｎに相当する。）が容器内に入り込まなければならない。通路Ａ１及び通路Ａ２のように複数の通路を確保すると、このような場合における物質Ｍの移動に特に有効である。
【０１１９】
本発明の原理や実施例を説明するにあたり、オスネジ山が存在する領域の一部に存在する溝の形態を、ボルトの長軸方向を中心とする周方向に幅を有するものに限定したが、本発明におけるオスネジ山が存在する領域の一部に存在する溝は、そのような幅を有するものに限定されない。例えば、図３２に示すように、ボルトの先端部８を斜めに加工して、傾斜面１２を設けたものは、その傾斜面１２のオスネジ山２との境界部９１が、原理１（及び原理１Ａ）における溝１４の右端部、原理２（及び原理２Ａ）におけるボルトの先端部２７、並びに原理３（及び原理３Ａ）における溝の右端部３２７に対応することになり、従ってこれらの原理は成立する。従って、図３２に示すような、境界部９１を具備するオスネジ山（又は、傾斜面１２を先端部８に備えるボルト）、このオスネジ山を用いたメスネジ山との接続構造、この接続機構を備える隔壁及び隔室、並びにこの接続機構を用いる物質移動方法も、本発明の技術的範囲から排除されない。
【０１２０】
【発明の効果】
以上説明したように、本発明によれは、隔室の内部の物質が外部に向かって一度に流出することがなく、ボルトとナットの接続機構を完全に解除することなく、バルブ機構のような大掛かりな機器も必要としないで、隔壁を隔てた空間間で物質の調節可能な移動を可能にする非常に簡単で簡便な、又はこれに加えて安価な構造、機構或いは方法を提供することができる。
【図面の簡単な説明】
【図１】本発明の原理１の説明図である。
【図２】本発明の原理１の説明図である。
【図３】本発明の原理１の説明図である。
【図４】本発明の原理２の説明図である。
【図５】本発明の原理２の説明図である。
【図６】本発明の原理２の説明図である。
【図７】本発明の原理３の説明図である。
【図８】本発明の原理３の説明図である。
【図９】本発明の原理３の説明図である。
【図１０】本発明に係るオスネジ山及びこれを具備するボルトの実施例を示す図である。
【図１１】本発明に係るオスネジ山及びこれを具備するボルトの実施例を示す図である。
【図１２】本発明に係るオスネジ山及びこれを具備するボルトの実施例を示す図である。
【図１３】本発明に係る接続構造の概略を示す図である。
【図１４】図１０乃至１３に示す実施例との関連において、隔壁を隔てた一方の空間１から他方の空間２への物質の移動を説明するための参考例を示す図である。
【図１５】図１０乃至１３に示す実施例との関連において、隔壁を隔てた一方の空間１から他方の空間２への物質の移動を説明するための参考例を示す図である。
【図１６】本発明に係るメスネジ山及びこれを具備するナットの実施例を示す図である。
【図１７】本発明に係るメスネジ山及びこれを具備するナットの実施例を示す図である。
【図１８】本発明に係るメスネジ山及びこれを具備するナットの実施例を示す図である。
【図１９】本発明に係る接続構造の概略を示す図である。
【図２０】図１６乃至１８に示す実施例との関連において、隔壁を隔てた一方の空間１から他方の空間２への物質の移動を説明するための参考例を示す図である。
【図２１】図１６乃至１８に示す実施例との関連において、隔壁を隔てた一方の空間１から他方の空間２への物質の移動を説明するための参考例を示す図である。
【図２２】本発明に係る接続構造の概略を示す図である。
【図２３】本発明に係る接続構造による物質の移動方法の説明図である。
【図２４】本発明に係る接続構造による物質の移動方法の説明図である。
【図２５】本発明に係る接続構造の概略を示す図である。
【図２６】本発明に係る接続構造による物質の移動方法の説明図である。
【図２７】本発明に係る接続構造による物質の移動方法の説明図である。
【図２８】本発明に係る接続構造による物質の移動方法の説明図である。
【図２９】本発明に係るオスネジ山及びこれを具備するボルト、接続構造、並びに物質移動方法の実施例を示す図である。
【図３０】本発明に係る接続構造による物質の移動方法の説明図である。
【図３１】本発明に係る接続構造による物質の移動方法の説明図である。
【図３２】本発明に係るオスネジ山及びこれを具備するボルトの実施例を示す図である。
【符号の説明】
１，１１，２６，３１１  ボルト
２，１２，２５，３１２  オスネジ山
３，１３，３１３  ボルトの頭部
４，１４，４１，３１４  溝
５，１５，２２，３１５，３１５  メスネジ山
６，２１，６１，３２１  ナット
７，２４，３２４  溝
８，２７  ボルトの先端部
９，９１，３２７  溝の右端部
１０  シール材
２３  ナットの内円環
４２，７２  連通路
【図１】
0003598315.tif 000002
【図２】
0003598315.tif 000003
【図３】
0003598315.tif 000004
【図４】
0003598315.tif 000005
【図５】
0003598315.tif 000006
【図６】
0003598315.tif 000007
【図７】
0003598315.tif 000008
【図８】
0003598315.tif 000009
【図９】
0003598315.tif 000010
【図１０】
0003598315.tif 000011
【図１１】
0003598315.tif 000012
【図１２】
0003598315.tif 000013
【図１３】
0003598315.tif 000014
【図１４】
0003598315.tif 000015
【図１５】
0003598315.tif 000016
【図１６】
0003598315.tif 000017
【図１７】
0003598315.tif 000018
【図１８】
0003598315.tif 000019
【図１９】
0003598315.tif 000020
【図２０】
0003598315.tif 000021
【図２１】
0003598315.tif 000022
【図２２】
0003598315.tif 000023
【図２３】
0003598315.tif 000024
【図２４】
0003598315.tif 000025
【図２５】
0003598315.tif 000026
【図２６】
0003598315.tif 000027
【図２７】
0003598315.tif 000028
【図２８】
0003598315.tif 000029
【図２９】
0003598315.tif 000030
【図３０】
0003598315.tif 000031
【図３１】
0003598315.tif 000032
【図３２】
0003598315.tif 000033